(57)【要約】【課題】  ゴルフボールを安定性よく支持すると共に、耐久性に優れ、しかもクラブヘッドで叩かれたときの感触低下、飛距離の低下を可及的に抑制できるティーアップ装置用ティーを提供する。【解決手段】  樹脂糸を円筒形状に整列させて構成された筒状ブラシタイプのボール支持部１０と、下方の昇降機構と連結され上方に前記ボール支持部１０を支持する台座部２０とにより構成される。台座部２０は、円筒状の樹脂ブラシからなるボール支持部１０の下部を台座部本体２１の筒状の収容部２１ａにより支持する筒状タイプであり、且つ、そのボール支持部１０が溶着により植設されたベース部材２２を、台座部本体２１内に押さえ部材２３と共に嵌合固定する組立形式である。【選択図】  図３
0003178551.tif 000002
【実用新案登録請求の範囲】
【請求項１】
ゴルフ練習場の打席に設置されるティーアップ装置において、ゴルフボールを支持するために用いられる昇降ティーであり、樹脂糸を円筒形状に整列させて構成された筒状ブラシタイプのボール支持部と、下方の昇降機構と連結され上方に前記ボール支持部を支持する台座部とを有するティーアップ装置用ティー。
【請求項２】
請求項１に記載のティーアップ装置用ティーにおいて、台座部は、円筒状の樹脂ブラシからなるボール支持部の下部を収容して支持する筒状タイプであるティーアップ装置用ティー。
【請求項３】
請求項２に記載のティーアップ装置用ティーにおいて、台座部は、円筒状の樹脂ブラシからなるボール支持部の下端部が溶着されたベース部材を台座部本体の筒状収容部内に嵌合固定する組立形式であるティーアップ装置用ティー。
【請求項４】
請求項３に記載のティーアップ装置用ティーにおいて、台座部は、ティーアップ装置の昇降機構と下部が連結され、下部を除く部分が円筒状の収容部とされた台座部本体と、円筒状の樹脂ブラシからなるボール支持部の下端部が溶着され前記台座部本体の収容部内に嵌合されるベース部材と、ベース部材の上から前記収容部内に嵌合されてベース部材を収容部内に固定する押さえ部材とを組み合わせた３ピース構造であるティーアップ装置用ティー。
【請求項５】
請求項４に記載のティーアップ装置用ティーにおいて、押さえ部材は、円筒状の樹脂ブラシからなるボール支持部の内側から前記収容部内のベース部材上に嵌合されてボール支持部を前記収容部の内面に押し付ける構成であるティーアップ装置用ティー。
【考案の詳細な説明】
【技術分野】
【０００１】
本考案は、ゴルフ練習場の打席に設置されるティーアップ装置用のティーに関し、より詳しくは、樹脂ブラシタイプのティーに関する。
【背景技術】
【０００２】
ゴルフ練習場でティーアップして打撃練習をするためにティーが使用される。ゴルフ練習場用のティーとしては、これまでは、円筒形状のボール支持部の下に抜け止めを兼ねる円板形状の台座部が設けられたゴム製のティーが多用されてきた（特許文献１）。
【０００３】
しかし、最近は一打ごとにゴルフボールがティー上に自動的にセットされるティーアップ装置の導入が進んでおり、その構造としては、ティーが、下方のボールセット位置と上方の打撃位置との間で昇降を繰り返す昇降式が一般的であり、具体的には、下方のボールセット位置でティー上にボールがセットされ、この状態でティーが打撃位置まで上昇し、打撃後に再びティーがボールセット位置まで下降することにより、ボールの自動セットを繰り返す。
【０００４】
このような昇降式のティーアップ装置は非常に便利で、打撃練習のスピードアップに貢献し、また打撃練習をする各人の身体的負担、精神的負担を大幅に軽減するが、一方で、そのティーに関して次のような問題がある。
【０００５】
昇降式のティーアップ装置におけるティーとしては、旧来から使用されている台座付きティーと同じく、ゴム製の円筒体が使用されている。しかし、このゴム製の円筒ティーは細長くて薄肉の構造のために、ボールを支持する際の安定性に欠ける。このため、ティー上からしばしばボールが脱落する問題がある。また、耐久性に欠けるため、使用寿命が短く、頻繁な交換が必要であるという問題もある。
【０００６】
ティーを太く厚くすればボールに対する安定性は向上し、耐久性も上がるが、同時にティーの剛性も上る。このため、ティーを叩いたときの物理的抵抗が増加し、感触、飛距離ともに低下する問題が生じる。
【先行技術文献】
【特許文献】
【０００７】
【特許文献１】特開２００８−１４２４９０号公報
【考案の概要】
【考案が解決しようとする課題】
【０００８】
本考案の目的は、ゴルフボールを安定性よく支持すると共に、耐久性に優れ、しかもクラブヘッドで叩かれたときの感触低下、飛距離の低下を可及的に抑制できるティーアップ装置用ティーを提供することにある。
【課題を解決するための手段】
【０００９】
前記目的を達成するために、本考案のティーアップ装置ティーは、ゴルフ練習場の打席に設置されるティーアップ装置において、ゴルフボールを支持するために用いられる昇降ティーであり、樹脂糸を円筒形状に整列させて構成された筒状ブラシタイプのボール支持部と、下方の昇降機構と連結され上方に前記ボール支持部を支持する台座部とを有している。
【００１０】
本考案のティーアップ装置用ティーにおいては、ボール支持部がいわゆるブラシティー構造となっているが、従来のナイロン糸などの樹脂糸を円柱形状に束ねた構造のブラシティーとは異なり、円筒形状の環状ブラシであるため、支持部上に載置されたゴルフボールの底部が支持部の内側に落ち込む。更にボール支持径も大きくできるので、ゴルフボールの安定性が向上する。
【００１１】
また、支持部を構成する樹脂糸の本数が本質的に少なく、ボール支持径を大きくしてもなお樹脂糸の本数が十分に少ない。このため、支持部を叩いたとき、円柱状の糸束と比べて変形が容易なため、衝撃が小さく、ショットへの影響が小さい上に、支持部が受けるダメージも小さい。
【００１２】
したがって、本考案のティーアップ装置用ティーは、ゴルフボールを安定性よく支持すると共に、耐久性に優れ、しかもクラブヘッドで叩かれたときの感触低下、飛距離の低下を可及的に抑制できる。
【００１３】
本考案のティーアップ装置用ティーにおける台座部としては、筒状の樹脂ブラシからなるボール支持部の下部を収容して支持する筒状タイプが好ましい。台座部が筒状タイプであると、ボール支持部の剛性を高めることができる。また、ボール支持部が外周側へ開くのを阻止でき、ボール支持部の形状保持が可能となる。
【００１４】
この場合の台座部の構成としては、筒状の樹脂ブラシからなるボール支持部の下端部が溶着されたベース部材を台座部本体の筒状収容部内に嵌合固定する組立形式が好ましい。このような組立形式だと、円筒状の環状ブラシからなるボール支持部の台座部への取り付けが、組立により簡単に行われる。
【００１５】
より好ましい台座部の構成は、ティーアップ装置の昇降機構と下部が連結され、下部を除く部分が円筒状の収容部とされた台座部本体と、円筒状の環状ブラシからなるボール支持部の下端部が溶着され前記台座部本体の収容部内に嵌合されるベース部材と、ベース部材の上から前記収容部内に嵌合されてベース部材を収容部内に固定する押さえ部材とを組み合わせた３ピース構造であり、更に好ましいのは、押さえ部材が、円筒状の環状ブラシからなるボール支持部の内側から前記収容部内のベース部材上に嵌合されてボール支持部を前記収容部の内面に押し付ける構成である。この構成だと、ベース部材を収容部内に固定する押さえ部材が、円筒状の環状ブラシからなるボール支持部の支持部材を兼ね、ボール支持部が内外から支持されることにより、ボール支持部の支持強度が向上すると共に、剛性も上がる。
【考案の効果】
【００１６】
本考案のティーアップ装置用ティーは、ゴルフボールを支持するボール支持部を環状のブラシ構造としたことにより、第１に、ブラシティー方式であるにもかかわらず、ゴルフボールを安定性よく支持できる。第２に、ボール支持部に要する樹脂糸の本数を少なくでき、製造コストを低減できる。第３に、ボール支持部を叩いたときの衝撃が特に小さく、ショットへの影響を小さくできると共に、耐久性に優れ、交換頻度を下げることができるので、経済性にも優れる。
【図面の簡単な説明】
【００１７】
【図１】本考案の一実施形態を示すティーアップ装置用ティーの立面図である。
【図２】同ティーアップ装置用ティーの平面図である。
【図３】同ティーアップ装置用ティーの縦断面図である。
【図４】同ブラシティーの構成部材を分解して示した縦断面図である。
【考案を実施するための形態】
【００１８】
以下に、本考案の実施形態を、図面を参照しながら具体的かつ詳細に説明する。
【００１９】
本実施形態のティーアップ装置用ティーは、ゴルフ練習場の打席に設置されるティーアップ装置において、ゴルフボールを支持するために用いられる昇降ティーである。当該ティーは、図１〜図３に示すように、樹脂糸を円筒形状に整列させて構成されたブラシタイプのボール支持部１０と、これを支持する円筒状の台座部２０と、台座部２０を図示されない昇降機構に連結するために台座部２０の中心部に取付けられた取付けボルト３０とを有している。
【００２０】
台座部２０は、図３及び図４に示すように、環状下部を除く部分が円筒形状の収容部２１ａとされた台座部本体２１と、円筒ブラシタイプのボール支持部１０の下端部が溶着され、台座部本体２１の収容部２１ａ内に嵌合される円環状のベース部材２２と、ベース部材２２の上から前記収容部２１ａ内に嵌合されてベース部材２２を収容部２２ａ内に固定する円筒形状の押さえ部材２３との３部材からなる。３部材はいずれも合成樹脂からなり、同心円状に組み合わされている。
【００２１】
台座部本体２１の環状下部の内側は、その上側の環状のベース部材２２の内側、その更に上側の円筒形状の押さえ部材２３の下部内側と連通して取付けボルト３０の貫通孔を形成している。取付けボルト３０は、この貫通孔を上から下へ貫通し、且つ台座部本体２１の環状下部に埋設されたナット４０にねじ込まれることにより、ねじ部を台座部２１の下方へ突出させた状態で、台座部２１の中心部に取付けられている。
【００２２】
円筒ブラシからなるボール支持部１０の植設ベースとなる円環状のベース部材２２には、その周面に沿って湾曲した複数個（ここでは４個）の円弧状スリット２２ａが、周方向に若干の隙間をあけて等間隔で設けられている。個々の円弧状スリット２２ａは、ベース部材２２の上下面間を貫通する円弧状の貫通溝であり、その下部は外周側及び内周側へ向けて寸法が増大した広幅部２２ｂである。円弧状スリット２２ａの外周側の内周面は、上方に向かって外周側へ傾斜したテーパー面である。このベース部材２２に円筒ブラシタイプのボール支持部１０を植設する方法は以下のとおりである。
【００２３】
まず、ベース部材２２に設けられた複数個の円弧状スリット２２ａ内に糸束をそれぞれ下から上へ通す。それらの糸束を下から上へ上昇させる。ベース部材２２の上に所定長の糸束が突出すると、糸束の上昇を停止し、ベース部材２２の下面よりやや下の位置で糸束を切断する。切断部を溶かしてその樹脂を、円弧状スリット２２ａの下端部に形成された広幅部２２ｂ内に充満させる。これにより、円筒ブラシタイプのボール支持部１０の原形である複数の弧状ブラシ体１１がベース部材２２に植設される。複数の弧状ブラシ体１１は、この段階では下から上に向かって外周側へテーパー状に広がっている。また、周方向に広がることにより、中間部より上では隣接する弧状ブラシ体１１の樹脂糸同士が重なり合い、周方向に連続してコーン形状になっている。
【００２４】
そして、この状態でベース部材２２が台座部本体２１の収容部２１ａ内に嵌合され、その上から円筒形状の押さえ部材２３が収容部２１ａ内のボール支持部１０の内側に押し込まれ嵌合される。ベース部材２２の嵌合により、複数の弧状ブラシ体１１が収容部２１ａの内周面で絞られ、実質全長にわたって周方向で連続することにより、円筒形状で剛性のある樹脂ブラシタイプのボール支持部１０となる。
【００２５】
円筒形状の押さえ部材２３は、収容部２１ａ内のボール支持部１０内へのスムーズな押し込みのために、台座部本体２１の収容部２１ａの内径より小さい外径を有しており、かつ、その外径が上から下にかけて漸減したテーパー形状になっている。内周面は、下部を除き、ボルト３０の頭部が挿通可能な一定内径のストレート周面である。押さえ部材２３の下部は、内径が縮小して取付けボルト３０の頭部が係合する絞り部２３ａを形成している。
【００２６】
このような押さえ部材２３が収容部２１ａ内のベース部材２２の上からボール支持部１０の内側に押し込まれベース部材２２上に重ねられることにより、ボール支持部１０は収容部２１ａのストレートな内周面に押し付けられ、中間部より下が台座部２０に強固に固定されると共に、中間部より上の露出部も長手方向で同一内外径のストレートな円筒形ブラシに整形される。この状態で取付けボルト３０が台座部２０の中心部に上から挿入され、台座部本体２１の下部内のナット４０にねじ込まれることにより、台座部２０に取付けられる。
【００２７】
５０は当該ティーをティーアップ装置に固定するために取付けボルト３０に組み合わされたナットである。
【００２８】
完成した当該ティーの高さ（ボルト３０の突出部を除く部分の高さ）は９０ｍｍであり、ボルト３０の突出部の長さは２７〜２８ｍｍである。ボール支持部１０の台座部２０より上に露出した円筒ブラシ部の高さは５５ｍｍ、外径は２１〜２２ｍｍ、内径は１８〜１９ｍｍである。また、その円筒ブラシ部を構成する樹脂糸は外径が０．８４ｍｍのナイロン糸であり、本数は３０本である。ボール支持部１０の下半部が埋設固定される台座部２０の高さは３５ｍｍ、台座部本体２１の収容部２１ａの肉厚は１．５ｍｍ、押さえ部材２３の下部（絞り部２３ａ）を除く部分の肉厚は２ｍｍである。
【００２９】
このように構成されたティーアップ装置用ティーの使用法及び機能は以下のとおりである。
【００３０】
ゴルフ練習場の打席に設けられたティーアップ装置の昇降機構に当該ティーを取付けボルト３０とナット５０により取付ける。ティーアップ装置を作動させることにより、当該ティーが、下方のボールセット位置と上方の打撃位置との間を往復移動する。具体的には、フロアより下のボールセット位置へ下がったときに、円筒ブラシからなるボール支持部２０の上にゴルフボールがセットされ、この状態でフロアより上の打撃位置へ上り、ボール支持部２０上のゴルフボールが打たれると、再びフロアより下のボールセット位置へ下がり、これが繰り返されることにより、当該ティーは次々とゴルフボールをティーアップして打席へ供給する。
【００３１】
打席では、供給されるゴルフボールによりティーショットなどの練習が繰り返される。このとき、クラブヘッドがボール支持部１０の台座部２０より上の露出部分にしばしば当たるが、この露出部分は円筒構造のゴム成形体でなければ、円柱形状の糸束でもない円筒ブラシ体である上に、その下部が台座部本体２１の収容部２１ａ内に深く挿入され、しかも押さえ部材２３と共に内外から強固に支持されている。
【００３２】
このため、露出部分を深く叩いたときでさえも、その衝撃は極めて小さく、その衝撃によるショットの乱れは殆ど生じない。同時に露出部分の損傷も極めて少なく、その結果としてボール支持部１０の耐久性に優れる。
【００３３】
また、ボール支持部１０の円筒ブラシ体からなる露出部分を叩いたときの衝撃が小さいために、その円筒ブラシ体の内外径を大きくできる。加えて、円筒ブラシ体の上にゴルフボールが乗ったときに円筒ブラシ体が外周側へ開き、ゴルフボールの沈み込み量を大きくする。このため、ボール支持部１０上に供給されたゴルフボールの安定性が非常に高く、不用意に脱落する危険性が非常に少ない。このため、当該ティーの昇降速度を大きくすることもできる。これらのため、非常に気持ちよく打撃練習を行うことができる。
【００３４】
また、樹脂糸を円柱形状に束ねた場合、比較的細い糸束を多数本組み合わせる必要があるが、円筒ブラシ体の場合は、前述したとおり強度確保が容易なので、樹脂糸の使用本数が少なくて済む。このため糸材コストが安い。加えて、ボール支持部１０が複数の弧状ブラシ体１１からなり、台座部２０の一部である円環状のベース部材２２と一体化されているため、ボール支持部１０の作製自体が容易であると共に、台座部１０への取り付けも容易である。したがって、当該ティーの作製に要するトータルコストが、ブラシティーとしては安価に抑制され、この点からも経済性が良好である。
【００３５】
上記実施形態では、円筒ブラシタイプのボール支持部２０は周方向に配置された４つの弧状ブラシ体２１からなるが、２又は３個の弧状ブラシ体２１から構成してもよく、５個以上の弧状ブラシ体２１から構成してもよい。また、周方向に連続した筒状体でもよい。好ましい弧状ブラシ体２１の数は３〜６である。
【符号の説明】
【００３６】
１０  ボール支持部
１１  弧状ブラシ体
２０  台座部
２１  台座部本体
２２  ベース部材
２３  押さえ部材
３０  取付けボルト
４０，５０  ナット
【図１】
0003178551.tif 000003
【図２】
0003178551.tif 000004
【図３】
0003178551.tif 000005
【図４】
0003178551.tif 000006